(57)【要約】　　　（修正有）【課題】連なった光源を内蔵したチューブライトを立体形状の枠体に固定し、チューブライトを発光させて充分な装飾的効果を得ると共に、枠体へのチューブライトの取り付けが極めて容易であり、さらには、複数の基本パーツを組み付けて所定の立体形状を形成することで、使用しないときは基本パーツを分解してコンパクトに収納できる装飾用照明装置を提供する。【解決手段】立体形状の枠体１と、連なった光源２を内蔵した軟質のチューブライト３とから成り、枠体１の形状に沿ってチューブライト３を固定している。また、任意形状の枠体１０と、連なった光源２を内蔵した軟質のチューブライト３とから成り、枠体１０の形状に沿ってチューブライト３を固定した基本パーツ１０Ａ・１０Ｂ・１０Ｃ・１０Ｄを形成し、この基本パーツ１０Ａ・１０Ｂ・１０Ｃ・１０Ｄを組み付けて、所定の立体形状を造っている。【選択図】　　　　　図４
0003098040.tif 000002
【実用新案登録請求の範囲】
【請求項１】
立体形状の枠体と、連なった光源を内蔵した軟質のチューブライトとから成り、枠体の形状に沿ってチューブライトを固定したことを特徴とする装飾用照明装置。
【請求項２】
枠体の内側に、メッシュ材を張設した請求項１に記載の装飾用照明装置。
【請求項３】
任意形状の枠体と、連なった光源を内蔵した軟質のチューブライトとから成り、枠体の形状に沿ってチューブライトを固定した基本パーツを形成したことを特徴とする装飾用照明装置。
【請求項４】
基本パーツを形成する枠体の内側に、メッシュ材を張設した請求項３に記載の装飾用照明装置。
【請求項５】
基本パーツは、平面形状である請求項３または４に記載の装飾用照明装置。
【請求項６】
基本パーツは、曲面形状である請求項３または４に記載の装飾用照明装置。
【請求項７】
基本パーツを組み付けて、所定の立体形状を形成した請求項３乃至６のいずれかに記載の装飾用照明装置。
【請求項８】
基本パーツは、スリット部を備え、隣接した基本パーツのスリット部を嵌め合わせて、複数の基本パーツを組み付けた請求項３乃至７のいずれかに記載の装飾用照明装置。
【請求項９】
基本パーツを、所定の接続部材を介して組み付けた請求項３乃至７のいずれかに記載の装飾用照明装置。
【請求項１０】
接続部材は、隣接した基本パーツを貫通する棒状体である請求項９に記載の装飾用照明装置。
【請求項１１】
接続部材は、複数のスリット部を備えた板片である請求項９に記載の装飾用照明装置。
【考案の詳細な説明】
【０００１】
【考案の属する技術分野】
本考案は、例えば、クリスマスツリーや種々のクリスマスイルミネーションに使用される装飾用照明装置に関するものである。
【０００２】
【従来の技術】
従来より、クリスマスツリーや種々のクリスマスイルミネーション等に使用される装飾用照明装置として、種々の構造のものが提案されている。
【０００３】
この装飾用照明装置としては、例えば、電線を接続している合成樹脂製のソケットに、小型の豆電球等を装着したものが一般的である。
【０００４】
また、種々の形態の枠体に、複数のソケットと豆電球を取り付けたものも存在する。
【０００５】
【考案が解決しようとする課題】
しかしながら、ソケットに豆電球等を装着した従来の装飾用照明装置では、光源としての豆電球が一般的に光るのみであるため、充分な装飾的効果が得られなかった。
【０００６】
また、種々の形態の枠体に、複数のソケットと豆電球を取り付けた装飾用照明装置では、ソケットと電球を枠体に取り付ける作業が非常に面倒であった。
【０００７】
そこで本考案は、叙上のような従来存した問題点に鑑み創案されたもので、連なった光源を内蔵したチューブライトを立体形状の枠体に固定し、チューブライトを発光させて充分な装飾的効果を得ると共に、枠体へのチューブライトの取り付けが極めて容易であり、さらには、複数の基本パーツを組み付けて所定の立体形状を形成することで、使用しないときは基本パーツを分解してコンパクトに収納できる装飾用照明装置を提供することを目的とする。
【０００８】
【課題を解決するための手段】
上述した目的を達成するため、本考案に係る装飾用照明装置は、立体形状の枠体と、連なった光源を内蔵した軟質のチューブライトとから成り、枠体の形状に沿ってチューブライトを固定したことで、上述した課題を解決した。
【０００９】
また、枠体の内側に、メッシュ材を張設したことで、同じく上述した課題を解決した。
【００１０】
さらに、任意形状の枠体と、連なった光源を内蔵した軟質のチューブライトとから成り、枠体の形状に沿ってチューブライトを固定した基本パーツを形成したことで、同じく上述した課題を解決した。
【００１１】
また、基本パーツを形成する枠体の内側に、メッシュ材を張設したことで、同じく上述した課題を解決した。
【００１２】
加えて、基本パーツは、平面形状であることで、同じく上述した課題を解決した。
【００１３】
また、基本パーツは、曲面形状であることで、同じく上述した課題を解決した。
【００１４】
この他、基本パーツを組み付けて、所定の立体形状を形成したことで、同じく上述した課題を解決した。
【００１５】
また、基本パーツは、スリット部を備え、隣接した基本パーツのスリット部を嵌め合わせて、複数の基本パーツを組み付けたことで、同じく上述した課題を解決した。
【００１６】
さらに、基本パーツを、所定の接続部材を介して組み付けたことで、同じく上述した課題を解決した。
【００１７】
また、接続部材は、隣接した基本パーツを貫通する棒状体であることで、同じく上述した課題を解決した。
【００１８】
加えて、接続部材は、複数のスリット部を備えた板片であることで、同じく上述した課題を解決した。
【００１９】
【考案の実施の形態】
以下に、図面を参照して本考案の一実施の形態を説明する。本考案に係る装飾用照明装置は、図１に示すように、トナカイの姿をした立体形状の枠体１と、連なった光源２を内蔵した軟質のチューブライト３とから成り、枠体１の形状に沿ってチューブライト３を固定している。また、枠体１の内側に、メッシュ材４を張設してある。
【００２０】
尚、立体形状の枠体１は、図１に示すトナカイの姿に限定されることはなく、例えば、機関車や貸車の姿、星の姿、雪の結晶の姿、靴の姿等、どのような形状であっても差し支えない。また、立体形状の枠体１へのチューブライト３の固定手段は、後述する基本パーツ１０Ａ・１０Ｂ・１０Ｃ・１０Ｄの係合部８を用いた固定手段と同一である。
【００２１】
さらに、本考案に係る装飾用照明装置は、図２乃至図４に示すように、任意形状の枠体１０と、連なった光源２を内蔵した軟質のチューブライト３とから成り、枠体１０の形状に沿ってチューブライト３を固定した基本パーツ１０Ａ・１０Ｂ・１０Ｃ・１０Ｄを形成している。この基本パーツ１０Ａ・１０Ｂ・１０Ｃ・１０Ｄを形成する枠体１０の内側には、メッシュ材４を張設してある。
【００２２】
そして、基本パーツ１０Ａ・１０Ｂ・１０Ｃ・１０Ｄを組み付けて、所定の立体形状を形成するが、この基本パーツ１０Ａ・１０Ｂ・１０Ｃ・１０Ｄは、平面形状であってもよいし、また、曲面形状であってもよい。
【００２３】
以下に、この基本パーツ１０Ａ・１０Ｂ・１０Ｃ・１０Ｄを用いて、図３に示すトナカイの姿となる立体形状を造ることを一例として、本考案に係る装飾用照明装置を説明する。
【００２４】
基本パーツ１０Ａ・１０Ｂ・１０Ｃ・１０Ｄの枠体１０は、例えば、金属部材や合成樹脂製部材等を用いて作成する。そして、トナカイの姿となる立体形状を造るために、例えば、図２に示すように、一対の角部の基本パーツ１０Ａ、トナカイの頭と尾を備えた胴部の基本パーツ１０Ｂ、一対の前足の基本パーツ１０Ｃ、一対の後足の基本パーツ１０Ｄを作成する。この基本パーツ１０Ａ・１０Ｂ・１０Ｃ・１０Ｄを形成する枠体１０には、図４に示すように、枠体１０の形状に沿ってチューブライト３を固定してある。
【００２５】
枠体１０に固定するチューブライト３は、図４に示すように、透光性、可撓性、耐熱性、防水性等を備えた軟質の合成樹脂製のチューブ５内に、例えば、発光ダイオード（ＬＥＤ）や電球等の電気的に接続された光源２を複数配している。このチューブライト３は、透明であってもよいし、また、必要に応じて各種の色を施してもよい。さらに、チューブ５内には、光源２を挟むようにして、２本の針金部材６が埋め込まれている。この針金部材６により、チューブライト３全体の曲がり状態が保持されている。この他、チューブライト３の先端部は、プラグを備えた電源コードに接続されている。また、チューブライト３の基端部は、防水性のキャップ７により封止されている。
【００２６】
さらに、図４に示すように、枠体１０に複数の係合部８を設け、枠体１０の係合部８にチューブライト３を係着させて、枠体１０の形状に沿ってチューブライト３を固定している。枠体１０の係合部８は、図４に示すように、枠体１０の幅方向において、向かい合うように立設した一対の挟持片８Ａ，８Ｂとから成る。両挟持片８Ａ，８Ｂの先端側は、互いに内側を向くように若干湾曲している。
【００２７】
そして、光源２を内蔵したチューブライト３の全体を、枠体１０の形状に沿って配置する。その後、枠体１０の係合部８を構成する一対の挟持片８Ａ，８Ｂの間にチューブライト３を嵌め込む。このとき一対の挟持片８Ａ，８Ｂは、チューブライト３の押し込みによって、若干外側へ拡開し、チューブライト３が押し込まれた後は、一対の挟持片８Ａ，８Ｂが元の状態に復帰して、チューブライト３を両挟持片８Ａ，８Ｂによりしっかりと挟み込み、枠体１０にチューブライト３を固定するのである。
【００２８】
尚、図４に示す基本パーツ１０Ａ・１０Ｂ・１０Ｃ・１０Ｄは、枠体１０の側面にチューブライト３を固定しているが、これに限定されることはない。例えば、枠体１０を厚めに形成し、枠体１０の外側面にチューブライト３を固定するものであってもよい。このときの基本パーツ１０Ａ・１０Ｂ・１０Ｃ・１０Ｄを構成する部材の配置は、外側から、チューブライト３・枠体１０・メッシュ部材４となる。
【００２９】
それぞれの基本パーツ１０Ａ・１０Ｂ・１０Ｃ・１０Ｄは、図５・図６に示すように、所定の接続部材（２０・３０）を介して組み付ける。
【００３０】
接続部材として、例えば、図５に示すように、隣接した基本パーツ１０Ｂ・１０Ｄを貫通する棒状体２０を用いる。すなわち、トナカイの胴部を構成する基本パーツ１０Ｂの枠体１０に孔１１を設けて棒状体２０を貫通させ、棒状体２０の両端部にトナカイの後足を構成する基本パーツ１０Ｄを回動可能に取り付ける。
【００３１】
また、図６に示すように、接続部材として、複数のスリット部３０Ａ・３０Ｂを備えた板片３０を用いてもよい。この板片３０は、横長の矩形状に形成され、板片３０の上方中央部にスリット部３０Ａを備えている。また、板片３０の下方両端部にもスリット部３０Ｂを備えている。そして、トナカイの胴部を構成する基本パーツ１０Ｂの枠体１０にもスリット部１２を設け、基本パーツ１０Ｂのスリット部１２に板片３０上方中央部に設けたスリット部３０Ａを嵌め込む。また、トナカイの後足を構成する基本パーツ１０Ｄの枠体１０にもスリット部１３を設け、板片３０の下方両端部に設けたスリット部３０Ｂに、基本パーツ１０Ｄのスリット部１３を嵌め込む。
【００３２】
尚、基本パーツ１０Ａ・１０Ｂ・１０Ｃ・１０Ｄの組み付けは、接続部材（２０・３０）を用いたものに限定されることはない。例えば、基本パーツ１０Ａ・１０Ｂ・１０Ｃ・１０Ｄのそれぞれがスリット部を備え、隣接した基本パーツ１０Ａ・１０Ｂ・１０Ｃ・１０Ｄのスリット部を嵌め合わせて、複数の基本パーツ１０Ａ・１０Ｂ・１０Ｃ・１０Ｄを組み付けてもよい。
。
【００３３】
次に、本考案に係る装飾用照明装置を組み付ける一例を説明する。まず、所定の立体形状である枠体１を用意し、光源２を内蔵したチューブライト３の全体を、枠体１の形状に沿って配置する。そして、枠体１の係合部８を構成する一対の挟持片８Ａ，８Ｂの間にチューブライト３を嵌め込む。このとき一対の挟持片８Ａ，８Ｂは、チューブライト３の押し込みによって、若干外側へ拡開し、チューブライト３が押し込まれた後は、一対の挟持片８Ａ，８Ｂが元の状態に復帰して、チューブライト３を両挟持片８Ａ，８Ｂによりしっかりと挟み込み、枠体１にチューブライト３を固定するのである。
【００３４】
一方、複数の基本パーツ１０Ａ・１０Ｂ・１０Ｃ・１０Ｄを組み付けて所定の立体形状を造るときも、図４に示すように、光源２を内蔵したチューブライト３の全体を、基本パーツ１０Ａ・１０Ｂ・１０Ｃ・１０Ｄの枠体１０の形状に沿って配置する。そして、基本パーツ１０Ａ・１０Ｂ・１０Ｃ・１０Ｄの枠体１０の係合部８を構成する一対の挟持片８Ａ，８Ｂの間にチューブライト３を嵌め込んで、基本パーツ１０Ａ・１０Ｂ・１０Ｃ・１０Ｄの枠体１０にチューブライト３を固定する。
【００３５】
そして、接続部材として棒状体２０を用いるときは、例えば、図５に示すように、基本パーツ１０Ｂの枠体１０に孔１１を設けて棒状体２０を貫通させ、棒状体２０の両端部に他の基本パーツ１０Ｄを回動可能に取り付ける。
【００３６】
また、接続部材として板片３０を用いるときは、図６に示すように、基本パーツ１０Ｂの枠体１０にスリット部１２を設け、板片３０の上方中央部に設けたスリット部３０Ａを嵌め込む。その後、板片３０の下方両端部に設けたスリット部３０Ｂに、基本パーツ１０Ｄのスリット部１３を嵌め込む。
【００３７】
尚、一面に連続した突片を設けた締結帯と、締結帯の基端部に位置して締結帯の先端側を貫通させる環状の固定体とから成り、固定体は、貫通している締結帯の突片に係止する係止片を備えている巻回具を付加的に使用してもよい。
【００３８】
例えば、枠体１０とチューブライト３に締結帯を巻回し、締結帯の先端側を固定体に貫通させて、固定体の係止片に締結帯の突片を係止させる。このようにして、締結帯を締め付けて、枠体１０にチューライト３を強固に取り付けることができる。
【００３９】
【考案の効果】
本考案に係る装飾用照明装置は、立体形状の枠体１と、連なった光源２を内蔵した軟質のチューブライト３とから成り、枠体１の形状に沿ってチューブライト３を固定しているため、装飾用照明装置の発光により充分な装飾的効果が得られる。すなわち、チューブライト３の光源２を発光させて、例えば、トナカイの立体的な姿、機関車や貸車の立体的な姿、星の立体的な姿、雪の結晶の立体的な姿、靴の立体的な姿等を暗闇の中に浮かび上がらせることで、クリスマスイルミネーションとして、幻想的できれいな面白味のある装飾を可能とし、これを見る者に強いインパクトを与えることができる。
【００４０】
また、立体形状の枠体１が予め存在し、この枠体１には、出っ張り等の不必要な部材が全く存在しないため、立体形状の枠体１をコンパクトに形成できる。
【００４１】
さらに、枠体１の内側に、メッシュ材４を張設したときは、枠体１の堅牢性を維持できる。
【００４２】
一方、任意形状の枠体１０と、連なった光源２を内蔵した軟質のチューブライト３とから成り、枠体１０の形状に沿ってチューブライト３を固定した基本パーツ１０Ａ・１０Ｂ・１０Ｃ・１０Ｄを形成したときには、例えば、平面形状や曲面形状等の基本パーツ１０Ａ・１０Ｂ・１０Ｃ・１０Ｄを組み付けて、所定の立体形状を簡単に形成できる。
【００４３】
また、このような装飾用照明装置は、使用しないときに、基本パーツ１０Ａ・１０Ｂ・１０Ｃ・１０Ｄを分解して、コンパクトに収納できる。
【００４４】
加えて、基本パーツ１０Ａ・１０Ｂ・１０Ｃ・１０Ｄは、スリット部を備え、隣接した基本パーツ１０Ａ・１０Ｂ・１０Ｃ・１０Ｄのスリット部を嵌め合わせて、複数の基本パーツ１０Ａ・１０Ｂ・１０Ｃ・１０Ｄを組み付けることで、所定の立体形状を簡単に形成できる。
【００４５】
また、基本パーツ１０Ａ・１０Ｂ・１０Ｃ・１０Ｄを、所定の接続部材（２０・３０）を介して組み付けたときは、変化に富んだ種々の形態の立体形状を自由に造ることができる。この接続部材として、隣接した基本パーツ１０Ｂ・１０Ｄを貫通する棒状体２０を用いるときは、組み付けた基本パーツ１０Ｄが回動可能であり、例えば、後足の基本パーツ１０Ｄを胴部の基本パーツ１０Ｂ内に位置するように回動させ、全体をコンパクトにすることができる。
【００４６】
この他、接続部材として、複数のスリット部３０Ａ・３０Ｂを備えた板片３０を用いるときも、変化に富んだ種々の形態の立体形状を自由に造ることができ、さらには、その分解も極めて容易である。
【図面の簡単な説明】
【図１】枠体が、トナカイの姿をしている立体形状である場合の斜視図である。
【図２】基本パーツの一例を示した分解状態の平面図である。
【図３】基本パーツを組み付けて、トナカイの姿をしている立体形状を造った場合の斜視図である。
【図４】基本パーツの枠体に、チューブライトを固定した状態の斜視図である。
【図５】接続体として棒状体を用いて基本パーツを組み付けた状態の斜視図である。
【図６】接続体としてスリット部を備えた板片を用いて基本パーツを組み付けた状態の一部分解斜視図である。
【符号の説明】
１…枠体　　　　　　　　　　　２…光源
３…チューブライト　　　　　　４…メッシュ材
５…チューブ　　　　　　　　　６…針金部材
７…キャップ　　　　　　　　　８…係合部
８Ａ…挟持片　　　　　　　　　８Ｂ…挟持片
１０…枠体
１０Ａ…基本パーツ　　　　　　１０Ｂ…基本パーツ
１０Ｃ…基本パーツ　　　　　　１０Ｄ…基本パーツ
１１…孔　　　　　　　　　　　１２…スリット部
１３…スリット部
２０…棒状体　　　　　　　　　３０…板片
３０Ａ…スリット部　　　　　　３０Ｂ…スリット部
【図１】
0003098040.tif 000003
【図２】
0003098040.tif 000004
【図３】
0003098040.tif 000005
【図４】
0003098040.tif 000006
【図５】
0003098040.tif 000007
【図６】
0003098040.tif 000008